(57)【要約】【課題】廃棄物コンテナを適切に管理することができる管理システムを提供する。【解決手段】産業廃棄物が集積される廃棄物コンテナを管理する管理システム１は、廃棄物コンテナ５に設置される情報取得装置１０と、管理端末装置２０と、管理サーバ３０と、を有している。管理端末装置２０は、廃棄物コンテナ５の識別情報Ｉを取得して管理サーバ３０に送信する。そして、管理サーバ３０は、管理端末装置２０から廃棄物コンテナ５の識別情報Ｉを受信すると当該廃棄物コンテナ５の管理を開始する。【選択図】図６
2020086710.tif 000002
【特許請求の範囲】
【請求項１】
産業廃棄物が集積される廃棄物コンテナを管理する管理システムであって、
管理サーバと、
前記廃棄物コンテナに設置され、当該廃棄物コンテナの位置情報を周期的に取得するとともに通信網を介して前記管理サーバに送信する情報取得装置と、
前記管理サーバと通信網を介して接続される管理端末装置と、を有し、
前記管理端末装置は、前記廃棄物コンテナの識別情報を取得して前記管理サーバに送信し、
前記管理サーバは、前記管理端末装置から前記識別情報を受信すると当該識別情報によって識別される前記廃棄物コンテナの管理を開始することを特徴とする廃棄物コンテナの管理システム。
【請求項２】
前記管理サーバは、地図を表示可能な表示部を有し、前記廃棄物コンテナの管理を開始すると、前記情報取得装置から受信した前記位置情報に基づいて地図上に前記廃棄物コンテナの位置を示すアイコンを配置して前記表示部に表示する、請求項１に記載の廃棄物コンテナの管理システム。
【請求項３】
前記管理端末装置は、前記廃棄物コンテナの識別情報および位置情報を取得して前記管理サーバに送信し、
前記管理サーバは、前記情報取得装置から前記位置情報を受信すると前記管理端末装置から受信した前記位置情報と比較し、これら位置情報が一致したとき、前記廃棄物コンテナの所在が正常であることを示す態様で前記アイコンを表示し、一致しないとき、前記廃棄物コンテナの所在が異常であることを示す態様で前記アイコンを表示する、請求項２に記載の廃棄物コンテナの管理システム。
【請求項４】
前記管理サーバは、前記廃棄物コンテナの使用予定期間に関する情報を記憶しており、前記使用予定期間の終了日までの長さに応じた態様で前記アイコンを表示する、請求項２に記載の廃棄物コンテナの管理システム。
【請求項５】
前記管理サーバは、前記廃棄物コンテナの使用者が操作する使用者端末装置から前記廃棄物コンテナの使用予定期間の問い合わせを受信すると、当該廃棄物コンテナの前記使用予定期間に関する情報を前記使用者端末装置に送信する、請求項４に記載の廃棄物コンテナの管理システム。
【請求項６】
前記情報取得装置は、前記廃棄物コンテナの位置情報および充填度情報を周期的に取得するとともに通信網を介して前記管理サーバに送信し、
前記管理サーバは、地図を表示可能な表示部を有し、前記廃棄物コンテナの管理を開始すると、前記情報取得装置から受信した前記位置情報に基づいて地図上に前記廃棄物コンテナの位置を示すアイコンを配置するとともに当該アイコンを前記充填度情報に応じた態様で前記表示部に表示する、請求項１に記載の廃棄物コンテナの管理システム。
【発明の詳細な説明】
【技術分野】
【０００１】
本発明は、産業廃棄物の回収に用いられる廃棄物コンテナを管理する管理システムに関する。
【背景技術】
【０００２】
工場や建築現場などから排出された産業廃棄物は、廃棄物コンテナに集積されて産業廃棄物処理業者（以下、単に「処理業者」という。）に引き取られる。このような廃棄物コンテナは、産業廃棄物を排出する事業者に対して処理業者が貸し出しを行い、満杯になると事業者が電話などで処理業者に引き取りを依頼する。
【０００３】
このような廃棄物の引き取りに適用可能な技術が特許文献１に開示されている。特許文献１に開示されているシステムは、廃棄物容器の収集に関するものである。特許文献１のシステムにおいて、廃棄物容器は廃棄物の充填度に関する周期情報をサーバに送信する。また、廃棄物容器は利用者により操作されるスイッチが設けられ、このスイッチが操作されると廃棄物容器を空にするのが望ましい旨の情報をサーバに送信する。サーバはこれら情報を受信すると廃棄物容器の効率的な収集を指示する。
【先行技術文献】
【特許文献】
【０００４】
【特許文献１】特表２０１６−５０５９２７公報
【発明の概要】
【発明が解決しようとする課題】
【０００５】
廃棄物コンテナは、例えば、工場や建築現場に設置した時点から貸出期間の管理が始まる。このような貸出期間の管理は、設置した廃棄物コンテナに付されたコンテナ管理番号を設置担当者が目視などにより確認して、処理業者の管理担当者に連絡することにより行っていた。そのため、管理方法について改善の余地があった。
【０００６】
また、廃棄物コンテナは、事業者が勝手に移動したり盗難されたりすることがあり、所在が不明になってしまうことがあった。
【０００７】
そこで、本発明は、廃棄物コンテナを適切に管理することができる管理システムを提供することを目的とする。
【課題を解決するための手段】
【０００８】
上記目的を達成するため、本発明の廃棄物コンテナの管理システムは、産業廃棄物が集積される廃棄物コンテナを管理する管理システムであって、管理サーバと、前記廃棄物コンテナに設置され、当該廃棄物コンテナの位置情報を周期的に取得するとともに通信網を介して前記管理サーバに送信する情報取得装置と、前記管理サーバと通信網を介して接続される管理端末装置と、を有し、前記管理端末装置は、前記廃棄物コンテナの識別情報を取得して前記管理サーバに送信し、前記管理サーバは、前記管理端末装置から前記識別情報を受信すると当該識別情報によって識別される前記廃棄物コンテナの管理を開始することを特徴とする。
【０００９】
本発明によれば、管理端末装置が、廃棄物コンテナの識別情報を取得して管理サーバに送信する。そして、管理サーバが、管理端末装置から廃棄物コンテナの識別情報を受信すると当該廃棄物コンテナの管理を開始する。このようにしたことから、例えば、廃棄物コンテナの使用開始に応じて、管理端末装置によって廃棄物コンテナの識別情報の取得から管理サーバへの送信までを一貫して行うことができる。そのため、人手によるミスを効果的に抑制して、廃棄物コンテナを適切に管理することができる。
【００１０】
本発明において、前記管理サーバは、地図を表示可能な表示部を有し、前記廃棄物コンテナの管理を開始すると、前記情報取得装置から受信した前記位置情報に基づいて地図上に前記廃棄物コンテナの位置を示すアイコンを配置して前記表示部に表示することが好ましい。このようにすることで、廃棄物コンテナの所在を視覚的に把握することができる。
【００１１】
本発明において、前記管理端末装置は、前記廃棄物コンテナの識別情報および位置情報を取得して前記管理サーバに送信し、前記管理サーバは、前記情報取得装置から前記位置情報を受信すると前記管理端末装置から受信した前記位置情報と比較し、これら位置情報が一致したとき、前記廃棄物コンテナの所在が正常であることを示す態様で前記アイコンを表示し、一致しないとき、前記廃棄物コンテナの所在が異常であることを示す態様で前記アイコンを表示することが好ましい。このようにすることで、管理端末装置から管理サーバに送信された廃棄物コンテナの位置情報を正しいものとして、情報取得装置から送信された廃棄物コンテナの位置情報の正否を判断することができる。そのため、廃棄物コンテナの所在を適切に管理することができる。
【００１２】
本発明において、前記管理サーバは、前記廃棄物コンテナの使用予定期間に関する情報を記憶しており、前記使用予定期間の終了日までの長さに応じた態様で前記アイコンを表示することが好ましい。このようにすることで、廃棄物コンテナの使用予定期間のおおよその残日数や使用予定期間の超過を視覚的に把握することができる。
【００１３】
本発明において、前記管理サーバは、前記廃棄物コンテナの使用者が操作する使用者端末装置から前記廃棄物コンテナの使用予定期間の問い合わせを受信すると、当該廃棄物コンテナの前記使用予定期間に関する情報を前記使用者端末装置に送信することが好ましい。このようにすることで、廃棄物コンテナの使用者において、廃棄物コンテナの使用予定期間を把握することができる。
【００１４】
本発明において、前記情報取得装置は、前記廃棄物コンテナの位置情報および充填度情報を周期的に取得するとともに通信網を介して前記管理サーバに送信し、前記管理サーバは、地図を表示可能な表示部を有し、前記廃棄物コンテナの管理を開始すると、前記情報取得装置から受信した前記位置情報に基づいて地図上に前記廃棄物コンテナの位置を示すアイコンを配置するとともに当該アイコンを前記充填度情報に応じた態様で前記表示部に表示することが好ましい。このようにすることで、廃棄物コンテナを貸し出している産業廃棄物処理業者において、廃棄物コンテナへの産業廃棄物の集積情報を把握することができ、事業者からの連絡を待つことなく廃棄物コンテナの引き取りなどを行うことができる。
【発明の効果】
【００１５】
本発明によれば、廃棄物コンテナを適切に管理することができる。
【図面の簡単な説明】
【００１６】
【図１】本発明の一実施形態に係る廃棄物コンテナの管理システムの概略構成を示す図である。
【図２】図１の管理システムが有する情報取得装置の機能ブロック図である。
【図３】図１の管理システムが有する管理端末装置の機能ブロック図である。
【図４】図１の管理システムが有する管理サーバの機能ブロック図である。
【図５】図４の管理サーバで用いられる管理情報の一例を示す図である。
【図６】図１の管理システムの動作の一例を示すシーケンス図である。
【図７】図４の管理サーバの表示部に表示される地図の一例を示す図である。
【図８】図４の管理サーバの表示部に表示される地図の他の一例（充填率表示）を示す図である。
【発明を実施するための形態】
【００１７】
以下、本発明の一実施形態に係る廃棄物コンテナの管理システムについて、図１〜図８を参照して説明する。
【００１８】
本実施形態の管理システムは、例えば、産業廃棄物を排出する事業者に廃棄物コンテナの貸し出しを行う産業廃棄物処理業者において利用され、廃棄物コンテナの所在や貸出期間（使用予定期間）を管理するものである。
【００１９】
図１は、本発明の一実施形態に係る廃棄物コンテナの管理システムの概略構成を示す図である。図２〜図４は、図１の管理システムが有する情報取得装置、管理端末装置および管理サーバの機能ブロック図である。図５は、図４の管理サーバで用いられる管理情報の一例を示す図である。図６は、図１の管理システムの動作の一例を示すシーケンス図である。図７は、図４の管理サーバの表示部に表示される地図の一例を示す図である。図８は、図４の管理サーバの表示部に表示される地図の他の一例（充填率表示）を示す図である。
【００２０】
図１に示すように、本実施形態に係る管理システム１は、情報取得装置１０と、管理端末装置２０と、管理サーバ３０と、を有しており、これらはインターネットなどの広域の通信網５０に接続されている。
【００２１】
情報取得装置１０は、廃棄物コンテナ５に設置される。情報取得装置１０は、例えば、図２に示すように、プロセッサ１１、メモリ１２、通信モジュール１３、ＧＰＳモジュール１４（Ｇｌｏｂａｌ  Ｐｏｓｉｔｉｏｎｉｎｇ  Ｓｙｓｔｅｍ  Ｍｏｄｕｌｅ）などを備えた低消費電力の組み込み用マイクロコンピュータユニットを有し、バッテリーでの長時間動作を可能としている。メモリ１２は、プロセッサ１１の作業領域および各種データ格納に用いられ、本実施形態では、情報取得装置１０が設置される廃棄物コンテナ５を一意に識別するための識別情報Ｉを格納している。通信モジュール１３は、通信網５０が有する無線通信基地局５１と通信可能に接続される。また、通信モジュール１３は、有線または近距離無線の通信インタフェースを有しており、この通信インタフェースにより後述する管理端末装置２０と通信可能に接続される。ＧＰＳモジュール１４は、ＧＰＳ衛星から信号を受信して位置情報Ｐを生成する。
【００２２】
情報取得装置１０は、通信インタフェースに接続された管理端末装置２０からの要求に応じて、メモリ１２から識別情報Ｉを取得するとともにＧＰＳモジュール１４から位置情報Ｐを取得して管理端末装置２０に送信する。また、情報取得装置１０は、識別情報Ｉおよび位置情報Ｐを所定の周期（例えば、１時間毎や１日毎など）で取得して通信網５０を介して管理サーバ３０に送信する。
【００２３】
管理端末装置２０は、タブレット端末で構成されている。管理端末装置２０は、可搬性のよいノート型のパーソナルコンピュータなどで構成されていてもよい。管理端末装置２０は、例えば、図３に示すように、プロセッサ２１と、プロセッサ２１の作業領域として用いられるメモリ２２と、プロセッサ２１に実行されるプログラムやデータを格納する記憶装置２３と、タッチパネル付ディスプレイ２４と、を有している。また、管理端末装置２０は、通信網５０が有する無線通信基地局５１と通信可能に接続される通信装置２５を有している。この通信装置２５は、有線または近距離無線の通信インタフェースも有している。
【００２４】
管理端末装置２０は、通信装置２５の通信インタフェースにより情報取得装置１０と通信可能に接続される。管理端末装置２０は、廃棄物コンテナ５の管理開始に係る操作がタッチパネルに入力されると、情報取得装置１０から廃棄物コンテナ５の識別情報Ｉおよび位置情報Ｐを取得して通信網５０を介して管理サーバ３０に送信する。
【００２５】
管理サーバ３０は、サーバ用コンピュータで構成されている。管理サーバ３０は、例えば、図４に示すように、プロセッサ３１と、プロセッサ３１の作業領域として用いられるメモリ３２と、プロセッサ３１に実行されるプログラムやデータを格納する記憶装置３３と、各種情報を表示する表示部であるディスプレイ３４と、を有している。また、管理サーバ３０は、通信網５０と通信可能に接続される通信装置３５を有している。記憶装置３３には、廃棄物コンテナ５の管理に用いられる管理情報１００が格納されている。
【００２６】
図５に管理情報１００の一例を示す。管理情報１００は、管理対象の廃棄物コンテナ５毎に情報レコードを有している。図５において１行が１つの廃棄物コンテナ５に対応する情報レコードとなる。情報レコードは、識別子１０１、ステータス１０２、貸出期間１０３、マスタ所在地情報１０４、現所在地情報１０５、使用者情報１０６、を有している。
【００２７】
識別子１０１は、廃棄物コンテナ５を一意に識別するための識別情報Ｉが設定される。
【００２８】
ステータス１０２は、廃棄物コンテナ５の状態を示すステータス情報が設定される。ステータス情報としては、例えば、産業廃棄物処理業者の倉庫に保管されており貸出可能であることを示す「未貸出」、貸出中でかつ貸出期間内であることを示す「貸出中」、貸出中でかつ貸出期間を過ぎていることを示す「貸出期間超過」、貸出中でかつ所在地に異常が検出されたことを示す「所在確認要」、廃棄物コンテナ５が返却された直後のメンテナンス中であることを示す「メンテナンス」などがある。
【００２９】
貸出期間１０３は、廃棄物コンテナ５が貸し出された場合、貸出期間（貸出開始日〜貸出終了日）が設定される。
【００３０】
マスタ所在地情報１０４は、管理端末装置２０から受信した位置情報Ｐが設定される。
【００３１】
現所在地情報１０５は、情報取得装置１０から受信した最新の位置情報Ｐが設定される。
【００３２】
使用者情報１０６は、廃棄物コンテナ５を借り受けた事業者（使用者）に関する情報（使用者を一意に識別する情報、例えば、会社名など）が設定される。
【００３３】
管理サーバ３０は、情報取得装置１０や管理端末装置２０から廃棄物コンテナ５に関する情報を受信すると、管理情報１００を更新する。また、管理サーバ３０は、図７に示すように、管理情報１００に基づき廃棄物コンテナ５の所在および状態を示すアイコン６１〜６４を地図６０上に配置してディスプレイ３４に表示する。また、管理サーバ３０は、地図６０とともに現在の日付７０もディスプレイ３４に表示する。
【００３４】
また、管理サーバ３０は、廃棄物コンテナ５を借り受けた事業者が操作するタブレット端末などの使用者端末装置４０から廃棄物コンテナ５の貸出期間の問い合わせを受信すると、廃棄物コンテナ５の貸出期間に関する情報（貸出期間１０３）を使用者端末装置４０に送信する。廃棄物コンテナ５の貸出期間の問い合わせは、例えば、管理端末装置２０と同様にして情報取得装置１０から取得した識別情報Ｉや、事業者の会社名などを指定して行う。使用者端末装置４０は、貸出期間の問い合わせに対する管理サーバ３０からの応答に基づいて、貸出期間に関する情報を表示する。
【００３５】
次に、本実施形態の管理システム１の動作の一例について、図６を参照して説明する。
【００３６】
産業廃棄物処理業者の設置担当者が産業廃棄物を排出する事業者（使用者）から廃棄物コンテナ５の貸し出しの依頼を受けると、設置担当者は事業者の指定した場所に廃棄物コンテナ５を搬入する。そして、設置担当者が廃棄物コンテナ５に情報取得装置１０を設置して起動させるとともに管理端末装置２０を通信装置２５の通信インタフェースにより情報取得装置１０に接続する。
【００３７】
管理端末装置２０は、設置担当者によって廃棄物コンテナ５の管理開始に係る操作がタッチパネルに入力されると（Ｓ１０１）、情報取得要求メッセージＭ１を情報取得装置１０に送信する（Ｓ１０２）。
【００３８】
情報取得装置１０は、管理端末装置２０からの情報取得要求メッセージＭ１を受信すると、廃棄物コンテナ５の識別情報Ｉおよび位置情報Ｐを取得し、これら識別情報Ｉおよび位置情報Ｐを情報取得応答メッセージＭ２に含めて管理端末装置２０に送信する（Ｓ１０３）。また、情報取得装置１０は、情報取得応答メッセージＭ２を管理端末装置２０に送信したのち、動作モードを「待機モード」から「情報取得モード」に遷移して、管理サーバ３０への情報送信を開始する（Ｓ１０４）。この情報送信では、情報取得装置１０は、例えば、１日毎など周期的に識別情報Ｉおよび位置情報Ｐを取得し、これら識別情報Ｉおよび位置情報Ｐを位置情報通知メッセージＭ４に含めて管理サーバ３０に周期的に送信する（Ｓ１０７）。
【００３９】
管理端末装置２０は、情報取得装置１０からの情報取得応答メッセージＭ２を受信すると、これに含まれる識別情報Ｉおよび位置情報Ｐを管理開始要求メッセージＭ３に含めて管理サーバ３０に送信する（Ｓ１０５）。
【００４０】
管理サーバ３０は、管理端末装置２０からの管理開始要求メッセージＭ３を受信すると、廃棄物コンテナ５の管理を開始する（Ｓ１０６）。具体的には、管理サーバ３０は、管理情報１００の中から管理開始要求メッセージＭ３に含まれる識別情報Ｉが識別子１０１に設定されている情報レコードを特定する。そして、管理サーバ３０は、特定した情報レコードのステータス１０２を「貸出中」に更新し、マスタ所在地情報１０４に管理開始要求メッセージＭ３に含まれる位置情報Ｐを設定する。また、管理サーバ３０は、記憶装置３３に識別情報Ｉと関連付けられて別途記憶されている契約情報などから廃棄物コンテナ５を貸し出した事業者の会社名および貸出期間を取得して、特定した情報レコードの使用者情報１０６および貸出期間１０３に設定する。さらに、管理サーバ３０は、管理情報１００のマスタ所在地情報１０４に基づいて地図６０上に廃棄物コンテナ５の位置を示すアイコンを配置して、ディスプレイ３４に表示する。
【００４１】
また、管理サーバ３０は、情報取得装置１０からの位置情報通知メッセージＭ４を受信すると、廃棄物コンテナ５の情報を更新する（Ｓ１０８）。具体的には、管理サーバ３０は、管理情報１００の中から位置情報通知メッセージＭ４に含まれる識別情報Ｉが識別子１０１に設定されている情報レコードを特定する。そして、管理サーバ３０は、特定した情報レコードの現所在地情報１０５に位置情報通知メッセージＭ４に含まれる位置情報Ｐを設定する。さらに、管理サーバ３０は、管理情報１００の現所在地情報１０５に基づいて地図６０上に廃棄物コンテナ５の位置を示すアイコンを配置して、ディスプレイ３４に表示する。
【００４２】
管理サーバ３０は、地図６０上に配置するアイコンについて、廃棄物コンテナ５の所在および状態に応じた態様で表示する。
【００４３】
具体的には、管理サーバ３０は、廃棄物コンテナ５の貸出期間（使用予定期間）の終了日までの長さに応じた態様でアイコンを表示する。例えば、本日から貸出期間の終了日まで１月以上あるときには、青色でかつ円形のアイコン６２を表示する。本日から貸出期間の終了日まで１月を切ったときには、黄色でかつ円形のアイコン６１を表示する。本日が貸出期間の終了日を超えているときには、赤色でかつ円形のアイコン６３を表示し、ステータス１０２に「貸出期間超過」を設定する。
【００４４】
また、管理サーバ３０は、現所在地情報１０５をマスタ所在地情報１０４と比較し、これらが一致したとき、廃棄物コンテナの所在が正常であることを示す態様でアイコンを表示し、一致しないとき、廃棄物コンテナの所在が異常であることを示す態様でアイコンを表示する。例えば、現所在地情報１０５とマスタ所在地情報１０４とが一致したとき、円形のアイコン６１〜６３を表示し、一致しないとき、菱形のアイコン６４を表示する。なお、現所在地情報１０５とマスタ所在地情報１０４とが所定の許容誤差（例えば、数メートル〜数十メートルなど）内でずれている場合も「一致した」ものとしている。
【００４５】
そして、廃棄物コンテナ５を貸し出した事業者から引き取りの依頼を受けると、設置担当者は廃棄物コンテナ５の所在地に引き取りに向かう。そして、設置担当者が管理端末装置２０を通信装置２５の通信インタフェースにより情報取得装置１０に接続する。
【００４６】
管理端末装置２０は、設置担当者によって廃棄物コンテナ５の管理終了に係る操作がタッチパネルに入力されると（Ｓ１０９）、情報取得要求メッセージＭ１を情報取得装置１０に送信する（Ｓ１１０）。
【００４７】
情報取得装置１０は、管理端末装置２０からの情報取得要求メッセージＭ１を受信すると、廃棄物コンテナ５の識別情報Ｉおよび位置情報Ｐを取得し、これら識別情報Ｉおよび位置情報Ｐを情報取得応答メッセージＭ２に含めて管理端末装置２０に送信する（Ｓ１１１）。また、情報取得装置１０は、管理サーバ３０への周期的な情報送信を開始している状態（Ｓ１０４）で（すなわち、動作モードが「情報取得モード」のとき）上記情報取得要求メッセージＭ１を受信すると、管理サーバ３０への情報送信を終了し、動作モードを「情報取得モード」から「待機モード」に遷移する（Ｓ１１２）。
【００４８】
管理端末装置２０は、情報取得装置１０からの情報取得応答メッセージＭ２を受信すると、これに含まれる識別情報Ｉを管理終了要求メッセージＭ５に含めて管理サーバ３０に送信する（Ｓ１１３）。
【００４９】
管理サーバ３０は、管理端末装置２０からの管理終了要求メッセージＭ５を受信すると、廃棄物コンテナ５の管理を終了する（Ｓ１１４）。具体的には、管理サーバ３０は、管理情報１００の中から管理終了要求メッセージＭ５に含まれる識別情報Ｉが識別子１０１に設定されている情報レコードを特定する。そして、管理サーバ３０は、特定した情報レコードのステータス１０２を「メンテナンス」に更新し、マスタ所在地情報１０４、現所在地情報１０５および使用者情報１０６に初期値を設定してリセットする。また、管理サーバ３０は、特定した情報レコードに対応する廃棄物コンテナ５の位置を示すアイコンを地図６０上から消去する。
【００５０】
以上より、本実施形態の管理システム１によれば、管理端末装置２０が、廃棄物コンテナ５の識別情報Ｉを取得して管理サーバ３０に送信する。そして、管理サーバ３０が、管理端末装置２０から廃棄物コンテナ５の識別情報Ｉを受信すると当該廃棄物コンテナ５の管理を開始する。このようにしたことから、例えば、廃棄物コンテナ５の使用開始に応じて、管理端末装置２０によって廃棄物コンテナ５の識別情報Ｉの取得から管理サーバ３０への送信までを一貫して行うことができる。そのため、人手によるミスを効果的に抑制して、廃棄物コンテナ５を適切に管理することができる。
【００５１】
また、管理サーバ３０は、地図６０を表示可能なディスプレイ３４を有している。そして、管理サーバ３０は、廃棄物コンテナ５の管理を開始すると、情報取得装置１０から受信した位置情報Ｐである現所在地情報１０５に基づいて地図６０上に廃棄物コンテナ５の位置を示すアイコンを配置してディスプレイ３４に表示する。このようにすることで、廃棄物コンテナ５の所在を視覚的に把握することができる。
【００５２】
また、管理端末装置２０は、廃棄物コンテナ５の識別情報Ｉおよび位置情報Ｐを取得して管理サーバ３０に送信する。管理サーバ３０は、情報取得装置１０から位置情報Ｐを受信すると管理情報１００の現所在地情報１０５に設定して管理端末装置２０から受信した位置情報Ｐが設定されたマスタ所在地情報１０４と比較する。そして、管理サーバ３０は、これらが一致したとき、廃棄物コンテナ５の所在が正常であることを示す円形のアイコンを表示し、一致しないとき、廃棄物コンテナ５の所在が異常であることを示す菱形のアイコンを表示する。このようにすることで、管理端末装置２０から管理サーバ３０に送信された廃棄物コンテナ５の位置情報Ｐを正しいものとして、情報取得装置１０から送信された廃棄物コンテナ５の位置情報Ｐの正否を判断することができる。そのため、廃棄物コンテナ５の所在を適切に管理することができる。
【００５３】
また、管理サーバ３０は、廃棄物コンテナ５の貸出期間に関する情報を記憶しており、貸出期間の終了日までの長さに応じた色でアイコンを表示する。このようにすることで、廃棄物コンテナ５の貸出期間のおおよその残日数または貸出期間の超過を視覚的に把握することができる。
【００５４】
また、管理サーバ３０は、廃棄物コンテナ５を借り受けた事業者が操作する使用者端末装置４０から廃棄物コンテナ５の貸出期間の問い合わせを受信すると、当該廃棄物コンテナ５の貸出期間に関する情報を使用者端末装置４０に送信する。このようにすることで、廃棄物コンテナ５を借り受けた事業者において、廃棄物コンテナ５の貸出期間を容易に把握することができる。
【００５５】
上述した実施形態において、管理端末装置２０は、通信インタフェースにより情報取得装置１０と接続され、情報取得装置１０から識別情報Ｉおよび位置情報Ｐを取得する構成であったが、これに限定されるものではない。例えば、管理端末装置２０は、カメラ機能を備え、廃棄物コンテナ５に貼付された識別情報バーコードをカメラで読み取ることにより、廃棄物コンテナ５の識別情報Ｉを取得するようにしてもよい。また、管理端末装置２０は、ＧＰＳモジュールを備え、廃棄物コンテナ５が搬入された場所において自身のＧＰＳモジュールにより取得した位置情報を、廃棄物コンテナ５の位置情報Ｐとして取得してもよい。
【００５６】
また、上述した実施形態において、情報取得装置１０は、例えば、カメラで撮影した画像を解析したり、レーザー距離計などのセンサを用いて底面からの距離を計測したりして廃棄物コンテナ５の充填度情報を取得して、識別情報Ｉとともに通信網５０を介して管理サーバ３０に送信するようにしてもよい。充填度情報とは、廃棄物コンテナの満量に対する集積されている廃棄物の量の度合いを示す情報（例えば充填率）である。つまり、情報取得装置１０に廃棄物コンテナ５の充填率を検出するセンサを設け、位置情報通知メッセージＭ４に充填率を示す充填度情報も含めて管理サーバ３０に送信する。そして、管理サーバ３０において、充填率（充填度情報）に応じた態様（色や形、数値など）で廃棄物コンテナ５の所在を示すアイコンを表示する。例えば、充填率が５０％未満のときには、白色のアイコンを表示する。充填率が５０％以上７０％未満のときには、黄色のアイコンを表示する。充填率が７０％以上のときには、赤色のアイコンを表示する。または、アイコンの近傍に充填率を示す数値を添えて表示するようにしてもよい。このような数値を添えた表示態様も、充填度情報に応じたアイコンの表示態様に含む。図８に、上述した実施形態において廃棄物コンテナ５の充填率を数値で表示する一例を示す。このようにすることで、廃棄物コンテナ５を貸し出している産業廃棄物処理業者において、廃棄物コンテナ５への産業廃棄物の集積状態を把握することができ、事業者からの連絡を待つことなく廃棄物コンテナ５の引き取りなどを行うことができる。
【００５７】
上記に本発明の実施形態を説明したが、本発明はこれら実施形態の構成に限定されない。前述の実施形態に対して、当業者が適宜、構成要素の追加、削除、設計変更を行ったものや、実施形態の特徴を適宜組み合わせたものも、本発明の趣旨を逸脱しない限り、本発明の範囲に含まれる。
【符号の説明】
【００５８】
１…管理システム、１０…情報取得装置、１１…プロセッサ、１２…メモリ、１３…通信モジュール、１４…ＧＰＳモジュール、２０…管理端末装置、２１…プロセッサ、２２…メモリ、２３…記憶装置、２４…タッチパネル付ディスプレイ、２５…通信装置、３０…管理サーバ、３１…プロセッサ、３２…メモリ、３３…記憶装置、３４…ディスプレイ、３５…通信装置、４０…使用者端末装置、５０…通信網、５１…無線通信基地局、６０…地図、６１〜６４…アイコン、７０…現在の日付、Ｉ…識別情報、Ｐ…位置情報、Ｍ１…情報取得要求メッセージ、Ｍ２…情報取得応答メッセージ、Ｍ３…管理開始要求メッセージ、Ｍ４…位置情報通知メッセージ、Ｍ５…管理終了要求メッセージ
【図１】
2020086710.tif 000003
【図２】
2020086710.tif 000004
【図３】
2020086710.tif 000005
【図４】
2020086710.tif 000006
【図５】
2020086710.tif 000007
【図６】
2020086710.tif 000008
【図７】
2020086710.tif 000009
【図８】
2020086710.tif 000010